(57)【特許請求の範囲】
【請求項１】
釣り用リールを取り付けるために釣り竿に設けられるリールシートであって、
前記釣り竿の竿本体に形成され前記釣り用リールの取付足の一側を係止するための第１係止部と、
前記第１係止部と間隔を隔てて前記竿本体の外周部に固定され前記竿本体より大径の雄ネジ部と、
前記第１係止部と対向して配置され前記取付足の他側を係止するための第２係止部を有し、前記雄ネジ部の外径より内径が小さく前記雄ネジ部と前記第１係止部との間で軸方向に摺動自在に前記竿本体に支持された移動シート部と、
前記移動シート部と間隔を隔てて配置され前記雄ネジ部に螺合して前記移動シート部を移動させる雌ネジ部を有し、前記移動シート部に連結されて前記移動シート部とともに前記軸方向に移動可能でありかつ前記移動シート部に対して相対回転可能なナット部と、
を備え、
前記ナット部は、前記移動シート部に連結され前記雄ネジ部の外径より大径の内周面を有する連結筒部と、前記連結筒部の先端に設けられ内周面に前記雌ネジ部が形成されたネジ筒部と、前記ネジ筒部の先端に設けられ前記雄ネジ部の外径より小径の内周面を有するキャップ支持部とを有する、
リールシート。
【請求項２】
釣り用リールを取り付けるために釣り竿に設けられるリールシートであって、
筒状の大径部と、前記大径部より小径の筒状の小径部と、前記大径部に形成され前記釣り用リールの取付足の一側を係止するための第１係止部と、前記小径部の外周に固定され前記小径部より大径の雄ネジ部とを有し、内部を釣り竿が貫通するシート本体と、
前記第１係止部と対向して配置され前記取付足の他側を係止するための第２係止部を有し、前記雄ネジ部の外径より内径が小さく前記雄ネジ部と第１係止部との間で軸方向に摺動自在に前記小径部に支持された移動シート部と、
前記移動シート部と間隔を隔てて配置され前記雄ネジ部に螺合して前記移動シート部を移動させる雌ネジ部を有し、前記移動シート部に連結されて前記移動シート部とともに前記軸方向に移動可能でありかつ前記移動シート部に対して相対回転可能なナット部と、
を備え、
前記ナット部は、前記移動シート部に連結され前記雄ネジ部の外径より大径の内周面を有する連結筒部と、前記連結筒部の先端に設けられ内周面に前記雌ネジ部が形成されたネジ筒部と、前記ネジ筒部の先端に設けられ前記雄ネジ部の外径より小径の内周面を有するキャップ支持部とを有する、
リールシート。
【請求項３】
前記竿本体又はシート本体の前記第１係止部が形成された部分と径方向の反対側の外周面に径方向に突出して形成され、前記釣り用リールを握る手の指を係止するためのトリガーハンドルをさらに備えた、請求項１又は２に記載のリールシート。
【請求項４】
前記移動シート部は、前記竿本体又はシート本体に回転不能に係止されている、請求項１から３のいずれかに記載のリールシート。
【請求項５】
前記移動シート部は、前記第２係止部と径方向の反対側の外周面で前記第１係止部側に延びるカバー部を有する、請求項１から４のいずれかに記載のリールシート。
【請求項６】
前記雄ネジ部は、前記移動シート部が前記竿本体又はシート本体に装着された後に、前記第１係止部との間で前記移動シート部を挟んだ状態で前記竿本体又はシート本体に固定される、請求項１から５のいずれかに記載のリールシート。
【請求項７】
竿本体と、
前記竿本体に設けられた請求項１から６のいずれかに記載のリールシートと、
を備えた釣り竿。
【発明の詳細な説明】
【０００１】
【発明の属する技術分野】
本発明は、釣り用リールを取り付けるために釣り竿に設けられるナット式のリールシート及びそれを装着した釣り竿に関する。
【０００２】
【従来の技術】
釣り竿には、スピニングリール、両軸受リール、片軸受リール等の釣り用リールを取り付けるためのナット式のリールシートが設けられているものがある。ナット式のリールシートには、一般に、釣り用リールのリール取付足の一側を係止する第１係止部と、雄ネジ部と、移動シート部と、ナット部とを備えている。雄ネジ部は、第１係止部と間隔を隔てて配置されている。移動シート部は、リール取付足の他側を係止する第２係止部を有し、釣り竿の竿本体に対して軸方向に移動可能である。この第２係止部は第１係止部と対向して配置されており、通常、筒状の移動シート部の端面にナット部側に向かって形成されている。ナット部は、移動シート部と連結されており、雄ネジ部に螺合して移動シート部を前後に移動させる。この種のリールシートには、第１係止部と雄ネジ部とを、竿本体と別体で設けられたシート本体に形成したものと、竿本体に一体で形成したものとがある。
【０００３】
前者のリールシートでは、シート本体が大径部と大径部の端部から延びる小径部とを有し、第１係止部が大径部に、雄ネジ部が小径部に大径部に近接してそれぞれ形成されている。この雄ネジ部の外径は小径部の外径と同一である。また、後者のリールシートでは、雄ネジ部は、第１係止部と間隔を隔てて竿本体に形成され、その外径は竿本体の外径と同一である。
【０００４】
これらのリールシートでは、釣り用リールを取り付ける際には、釣り用リールの取付足の一側を第１係止部に係止した状態でナット部を締めて移動シート部の第２係止部を第１係止部に接近させる。そして、第２係止部で取付足の他側を係止しかつ両係止部で取付足を挟持することで釣り用リールを釣り竿に固定している。逆にリールを取り外す際には、ナット部を緩めて第１係止部から第２係止部を離反させる。
【０００５】
【発明が解決しようとする課題】
前記従来の構成では、いずれのナット式のリールシートとも、雄ネジ部が竿本体やシート本体の小径部と同径のため、移動シート部が雄ネジ部の外周側を移動可能である。しかも、移動シート部の端面に第２係止部が設けられているので、移動シート部が小径部や竿本体の外周側に配置されたとき、小径部や竿本体の外周面と移動シート部の内周面との間に隙間が生じやすい。小径部や竿本体と移動シート部との間に隙間が生じると、その隙間から砂等の異物が入って雄ネジ部に付着しやすい。この雄ネジ部に異物が付着したまま放置しておくと、雄ネジ部にナット部が螺合しにくくなり、リールを釣り竿に確実に装着できなくなる。
【０００６】
本発明の課題は、雄ネジ部に異物を付着しにくくすることにある。
【０００７】
【課題を解決するための手段】
発明１に係るリールシートは、釣り用リールを取り付けるために釣り竿に設けられるものであって、第１係止部と、雄ネジ部と、移動シート部と、ナット部とを備えている。第１係止部は、釣り竿の竿本体に形成され釣り用リールの取付足の一側を係止するためのものである。雄ネジ部は、第１係止部と間隔を隔てて竿本体の外周部に固定され竿本体より大径のものである。移動シート部は、第１係止部と対向して配置され取付足の他側を係止するための第２係止部を有し、雄ネジ部の外径より内径が小さく雄ネジ部と第１係止部との間で軸方向に摺動自在に竿本体に支持されたものである。ナット部は、移動シート部と間隔を隔てて配置され雄ネジ部に螺合して移動シート部を移動させる雌ネジ部を有し、移動シート部に連結されて移動シート部とともに前記軸方向に移動可能でありかつ移動シート部に対して相対回転可能である。そして、ナット部は、移動シート部に連結され雄ネジ部の外径より大径の内周面を有する連結筒部と、連結筒部の先端に設けられ内周面に雌ネジ部が形成されたネジ筒部と、ネジ筒部の先端に設けられ雄ネジ部の外径より小径の内周面を有するキャップ支持部とを有する。
【０００８】
このリールシートでは、リールを取り付ける際には、ナット部を締めて雌ネジ部を雄ネジ部に螺合させ移動シート部の第２係止部を第１係止部に接近させて、リールの取付足の両側を２つの係止部で挟持する。また、リールを取り外す際には、ナット部を緩めて第２係止部を第１係止部から離反させる。このリール着脱時に、移動シート部は第１係止部と雄ネジ部との間でのみ移動するだけなので、ナット部を緩めても、雄ネジ部はナット部によりカバーされる。このため、雄ネジ部が外部に露出することがない。しかも、移動シート部は第１係止部と雄ネジ部との間で雄ネジ部より外径が小さい竿本体に摺動自在に支持されているので、移動シート部と竿本体との隙間がほとんどなくなる。このため、砂等の異物が移動シート部と竿本体との間から外部に露出してない雄ネジ部に侵入しにくくなり、雄ネジ部に異物が付着しにくくなる。
【０００９】
発明２に係るリールシートは、釣り用リールを取り付けるために釣り竿に設けられるリールシートであって、シート本体と、移動シート部と、ナット部とを備えている。シート本体は、筒状の大径部と、大径部より小径の筒状の小径部と、大径部に形成され釣り用リールの取付足の一側を係止するための第１係止部と、小径部の外周に固定され小径部より大径の雄ネジ部とを有し、内部を釣り竿が貫通するものである。移動シート部は、第１係止部と対向して配置され取付足の他側を係止するための第２係止部を有し、雄ネジ部の外径より内径が小さく雄ネジ部と第１係止部との間で軸方向に摺動自在に小径部に支持されている。ナット部は、移動シート部と間隔を隔てて配置され雄ネジ部に螺合して移動シート部を移動させる雌ネジ部を有し、移動シート部に連結されて移動シート部とともに軸方向に移動可能でありかつ移動シート部に対して相対回転可能なものである。そして、ナット部は、移動シート部に連結され雄ネジ部の外径より大径の内周面を有する連結筒部と、連結筒部の先端に設けられ内周面に雌ネジ部が形成されたネジ筒部と、ネジ筒部の先端に設けられ雄ネジ部の外径より小径の内周面を有するキャップ支持部とを有する。
【００１０】
このリールシートでは、リールを取り付ける際には、ナット部を締めて雄ネジ部に螺合させ移動シート部の第２係止部を第１係止部に接近させて、リールの取付足の両側を２つの係止部で挟持する。また、リールを取り外す際には、ナット部を緩めて第２係止部を第１係止部から離反させる。このとき、発明１と同様に移動シート部が第１係止部と雄ネジ部との間でのみ移動するだけなので、ナット部を緩めても、雄ネジ部はナット部によりカバーされる。このため、雄ネジ部が外部に露出することがない。しかも、移動シート部は第１係止部と雄ネジ部との間で雄ネジ部より外径が小さい小径部に摺動自在に支持されているので、移動シート部と小径部との隙間がほとんどなくなる。このため、砂等の異物が移動シート部と小径部との間から外部に露出してない雄ネジ部に侵入しにくくなり、雄ネジ部に異物が付着しにくくなる。
【００１１】
発明３に係るリールシートは、発明１又は２に記載のシートにおいて、竿本体又はシート本体の第１係止部が形成された部分と逆側の外周面に形成され釣り用リールを握る手の指を係止するためのトリガーハンドルをさらに備えている。この場合には、リールとともに釣り竿を握ったときに釣り竿が回転しにくくなり、リールをサミングしてキャスティングする際に釣り竿を振りやすく力も入れやすい。
【００１２】
発明４に係るリールシートでは、発明１から３のいずれかに記載のシートにおいて、移動シート部は、竿本体又はシート本体に回転不能に係止されている。この場合には、ナット部を回しても移動シート部の第２係止部が竿本体又はシート本体に対して回転しないので、リールの装着が容易になる。
【００１３】
発明５に係るリールシートは、発明１から４のいずれかに記載のシートにおいて、移動シート部は、第２係止部と逆側の外周面で第１係止部側に延びるカバー部を有する。この場合には、カバー部が第２係止部と第１係止部との間をカバーするので、リールシート部分で釣り竿を握ったときに段差等がなくなり、釣り竿を握りやすくなる。
【００１４】
発明６に係るリールシートは、発明１から５のいずれかに記載のシートにおいて、雄ネジ部は、移動シート部が竿本体又はシート本体に装着された後に、第１係止部との間で移動シート部を挟んだ状態で竿本体又はシート本体に固定される。この場合には、雄ネジ部の外径より内径が小さい移動シート部を装着した後に雄ネジ部を固定したので、移動シート部が雄ネジ部を越えて移動できない構成を簡単な構成で実現できる。
【００１５】
発明７に係る釣り竿は、竿本体と、発明１から６のいずれかに記載のリールシートとを備えている。この場合には、発明１と同様にリールシート部分で雄ネジ部が露出しなくなる。
【００１６】
【発明の実施の形態】
図１において、本発明の一実施形態によるリールシート１は、両軸受リールであるベイトリール２の取付足３を係止してベイトリール２を釣り竿４の竿本体５に装着するものである。竿本体５は先細り筒状の部材であり、リール２取付部分にリールシート１が装着されている。リールシート１は、竿本体５の外周に装着され固定されたシート本体１０と、シート本体１０に軸方向に移動自在に装着された移動シート部１１と、移動シート部１１に連結されたナット部１２とを有している。
【００１７】
シート本体１０は、図２〜図４に示すように、内部に釣り竿４が貫通する貫通孔１３が形成された合成樹脂を成形して得られた変形筒状の大径部１５と、大径部１５より小径の筒状の長さが長い小径部１６と、大径部１５に形成されリール２の取付足３の一側を係止するための第１係止部２０と、小径部１６の先端外周に固定され小径部１６より大径の雄ネジ部３１とを有している。
【００１８】
第１係止部２０は取付足３のたとえば後側を係止するためのものであり、大径部１５の上部に設けられている。第１係止部２０は、大径部１５に取付足３の後部を挿入可能な底面が平坦な洞窟状の穴から構成されている。大径部１５の第１係止部２０の形成部分の径方向の反対側（大径部１５の図２下部）には釣り竿４とともにリール２を握る手の指を係止するためのトリガーハンドル２１が径方向に突出して設けられている。トリガーハンドル２１は、大径部１５から図２前下方に湾曲して延びている。大径部１５の後方には、コルク製の竿尻グリップ１７が竿本体５の外周に嵌め込まれている。
【００１９】
雄ネジ部３１は小径部１６の先端に固定されている。小径部１６は、ほぼパイプ状の部材であり、その下面中央部には軸方向に延びる矩形の回り止め突起２５が形成されている。雄ネジ部３１は、外周に雄ネジが形成された筒状の部材であり、その外径は移動シート部１１の内径より大きい。このため、雄ネジ部３１を固定すると移動シート部１１を雄ネジ部３１と大径部１５との間に装着できない。したがって、雄ネジ部３１は、移動シート部３１を小径部１６に装着したのち小径部１６の先端にたとえば接着等の固着手段により固定される。
【００２０】
移動シート部１１は、第１係止部２０と対向して配置され取付足３の他側を係止するための第２係止部３５を有し、雄ネジ部３１と第１係止部２０との間で軸方向に摺動自在に小径部１６に支持されている。移動シート部１１は、内径が小径部１６の外径と実質的に同径でわずかに大きく、外径が大径部１５に向かって徐々に径が小さくくなる筒状の部材であり、小径部１６の外側を軸方向に摺動自在である。第２係止部３５は、取付足３のたとえば前側を係止するためのものであり、移動シート部１１の図２上部に形成されている。第２係止部３５も、第１係止部２０と同様に底面が平坦な洞窟状の穴で構成されている。移動シート部１１の図２下部には、大径部１５側に延びて小径部１６を覆うカバー部３６が形成されている。
【００２１】
このカバー部３６は、内周面がシート本体１０の小径部１６に実質的に接触しており、竿尻側に行くに連れて外径が徐々に小さくくなっている。しかも、図３に示すように、図３左右の外径が細くなる割合より上下の外径が細くなる割合の方大きく、左右の外径が上下の外径より大きい幅広偏平断面となっている。この幅広断面で外径が細くなったカバー部３６により、リール２とともに釣り竿４をカバー部３６で握ったときに小径部１６だけの場合より力を入れやすくなる。また、カバー部３６には装飾用のカバー３７が嵌め込まれている。ここでは、移動シート部１１にカバー部３６を設けリールの取付足３の中間部に対して移動シート部１１をシート本体側１０外周に接触して移動可能としてリールシート１を細く形成しているので、リールシート１が軽量になり、かつキャスティング時には風切り音が少なくなる。
【００２２】
さらにカバー部３６を含む移動シート部１１の内周部には、小径部１６の回り止め突起２５に係合する凹溝３２が軸方向の全長にわたり形成されている。これにより、移動シート部１１は、シート本体１０の小径部１６に軸方向摺動自在かつ回転不能に支持される。また、移動シート部１１の前部には、図２に示すように、他の部分より小径な連結部３８が形成されている。連結部３８は、ナット部１２を回転可能かつ移動不能に連結するために形成されている。連結部３８の先端には、連結部３８より僅かに大径な係止用の環状突起３９が形成されている。
【００２３】
ナット部１２は、移動シート部１１と間隔を隔てて配置され雄ネジ部３１に螺合して移動シート部１１を移動させる雌ネジ部４８を有し、移動シート部１１に連結されて移動シート部１１とともに軸方向に移動可能でありかつ移動シート部１１に対して相対回転可能なものである。また、ナット部１２は、段階的に縮径する概ね筒状のナット部本体４０と、ナット部本体４０の外周側に回転不能に固定される竿先グリップ４６とを有している。
【００２４】
ナット部本体４０は、移動シート部１１の連結部３８に回転可能にかつ軸方向にほぼ移動不能に連結される大径の連結筒部４１と、連結筒部４１の先端にそれより小径に形成されたネジ筒部４２と、ネジ筒部４２の先端にそれより小径に形成されたキャップ支持部４３とを有している。連結筒部４１の内周面には、環状突起３９に係合する環状凹部４５が形成されている。この連結筒部４１に連結部３８が圧入されることで、ナット部１２は移動シート部１１に対して相対回転自在に連結され、かつ移動シート部１１を一体で軸方向に移動させる。また、連結筒部４１の外周面には竿先グリップ４６の後端部分の肉厚分の段差が形成され、そこに竿先グリップ４６が固定される。また連結筒部４１の外周面には、竿先グリップ４６を回転不能に係止するための係止溝４１ａが周方向に間隔を隔てて４か所形成されている。このネジ筒部４２の内周面に雌ネジ部４８が形成されている。
【００２５】
竿先グリップ４６は、先細り湾曲筒状のグリップ本体４６ａと、グリップ本体４６ａの先端に嵌め込まれるキャップ４６ｂとを有している。グリップ本体４６ａの後端内周面には、係止溝４１ａに係止される係止突起４９が形成されている。キャップ４６ｂは、ナット部本体４０のキャップ支持部４３に嵌め込まれ接着固定される。
【００２６】
次にリールの装着方法について説明する。
【００２７】
まず、ナット部１２を緩めてシート本体１０との螺合を解除し、ナット部１２をシート本体１０の穂先側に配置する。そしてリールの取付足３の後側を第１係止部２０に挿入する。続いて、ナット部１２を右回りに回して雌ネジ部４８を雄ネジ部３１に螺合させる。これにより移動シート部１１がシート本体１０の小径部１６の外側を竿尻側に移動する。このとき移動シート部１１は、凹溝３２と回り止め突起２５とにより回転不能なため、回転せずに軸方向にのみ移動する。そして、取付足３を２つの係止部２０，３５で固く挟持するとナット部１２の回転を止める。このとき、移動シート部１１に形成された偏平で滑らかなカバー部３６が小径部１６をカバーする。このため、リールシート形成部分で釣り竿を力を入れて握りやすくなる。また、雄ネジ部３１の外径は、移動シート部１１の内径より大きいので、移動シート部１１は雄ネジ部３１より竿先側に移動できなくなり、雄ネジ部３１と第１係止部２０との間でのみ移動する。このため、雄ネジ部３１は常にナット部１２内に収納され外部に露出しない。しかも、移動シート部１１が小径部１６に摺動自在に支持されているので、移動シート部１１の内周面と小径部１６の外周面との間の隙間が殆どなくなり、ナット部１２内に収納された雄ネジ部３１に異物が付着しにくくなる。また、力を入れてリールシート部分で釣り竿を握っても指や掌が痛くならならず握りごこちがよくなる。
【００２８】
〔他の実施形態〕
（ａ）図５に示すように、シート本体を設けずに第１係止部２０と雄ネジ部３１とを釣り竿４の竿本体５に直接形成してもよい。竿本体５は先細り筒状であり、その外周面には回り止め突起２５が形成されている。また、雄ネジ部３１は竿本体５より大径であり、移動シート部１１を装着したのちに竿本体５に接着等の適宜の固着手段により固定される。移動シート部１１の内周面には、回り止め突起２５に係合する凹溝３２が軸方向に沿って形成されている。またナット部１２にはナット部本体を設けずに、竿先グリップ４６の内周部に雌ネジ部４８が直接形成されている。さらに、竿先グリップ４６の基端には、連結部３８に係止される環状凹部４５が直接形成されている。
【００２９】
このような実施形態でも、雄ネジ部３１が常時露出せずかつ竿本体５と移動シート部１１との間の隙間が殆どなくなるので、雄ネジ部３１に異物が付着しにくくなる。
【００３０】
（ｂ）本発明に使用されるリールは両軸受リールに限定されるものではなく、スピニングリールや片軸受リール等の取付足を有する釣り用リールであればどのようなリールでもよい。
【００３１】
（ｃ）移動シート部に形成されたカバー部の形状は本実施形態に限定されるものではなく、小径部の外周側をカバーできるような形状であればどのような形状でもよい。
【００３２】
【発明の効果】
以上説明したように、本発明によれば、リール着脱時に、移動シート部は第１係止部と雄ネジ部との間で移動するだけなので、ナット部を緩めても雄ネジ部は移動シート部の端部と雌ネジ部との間に配置され、ナット部によりカバーされる。このため、雄ネジ部が外部に露出することがない。しかも、移動シート部は第１係止部と雄ネジ部との間で雄ネジ部より外径が小さい竿本体に摺動自在に支持されているので、移動シート部と竿本体との隙間がほとんどなくなる。このため、砂等の異物が移動シート部と竿本体又はシート本体の小径部との間から外部に露出してない雄ネジ部に侵入しにくくなり、雄ネジ部に異物が付着しにくくなる。
【図面の簡単な説明】
【図１】  本発明の一実施形態によるリールシートの斜視図。
【図２】  その縦断面図。
【図３】  図２のIII −III 断面図。
【図４】  リールシートの分解斜視図。
【図５】  他の実施形態の図２に相当する図。
【符号の説明】
１  リールシート
２  ベイトリール
３  取付足
４  釣り竿
５  竿本体
１０  シート本体
１１  移動シート部
１２  ナット部
１５  大径部
１６  小径部
２０  第１係止部
２１  トリガーハンドル
２５  回り止め突起
３１  雄ネジ部
３５  第２係止部
３６  カバー部
４８  雌ネジ部
【図１】
0003884124.tif 000002
【図２】
0003884124.tif 000003
【図３】
0003884124.tif 000004
【図４】
0003884124.tif 000005
【図５】
0003884124.tif 000006